【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
インフラに関し計測する計測装置を有するインフラ運用システムで利用され、複数のインフラを有する所定の地域との関係で前記インフラを運用するインフラ運用装置において、
前記所定の地域に関し前記計測装置より取得される前記インフラに係るインフラ情報を記憶するインフラ情報記憶部と、
前記所定の地域に関係する住民について予め登録され前記住民に固有の住民情報及び前記インフラ情報に基づいて前記インフラを制御する制御部とを具備することを特徴とするインフラ運用装置。
【請求項２】
インフラに関し計測する計測装置を有するインフラ運用システムで利用され、複数のインフラを有する所定の地域との関係で前記インフラを運用するインフラ運用装置において、
前記所定の地域に関し前記計測装置より取得される前記インフラに係るインフラ情報を受信するインフラ情報受信部と、
前記インフラ情報受信部により受信した前記インフラ情報を記憶するインフラ情報記憶部と、
前記所定の地域に関係する住民について予め登録され前記住民に固有の住民情報及び前記インフラ情報に基づいて前記インフラを制御する制御部と、を具備することを特徴とするインフラ運用装置。
【請求項３】
インフラに関し計測する計測装置を有するインフラ運用システムで利用され、複数のインフラを有する所定の地域との関係で前記インフラを運用するインフラ運用装置において、
前記所定の地域に関し前記計測装置より取得される前記インフラに係るインフラ情報を記憶するインフラ情報記憶部と、
前記所定の領域又は地域に関係する住民について予め登録され前記住民に固有の住民情報を記憶する住民情報記憶部と、
前記インフラ情報記憶部に記憶される前記インフラ情報と前記住民情報記憶部に記憶される前記住民情報とに基づいて前記インフラを制御する制御部と、を具備することを特徴とするインフラ運用装置。
【請求項４】
インフラに関し計測する計測装置と、所定の地域に関係する住民について予め登録され前記住民に固有の住民情報を記憶する住民情報記憶装置とを有するインフラ運用システムで利用され、複数のインフラを有する前記所定の地域との関係で前記インフラを運用するインフラ運用装置において、
前記所定の地域に関し前記計測装置より取得される前記インフラに係るインフラ情報を受信するインフラ情報受信部と、
前記インフラ情報受信部により受信した前記インフラ情報を記憶するインフラ情報記憶部と、
前記住民情報記憶装置から前記住民情報を取得する住民情報取得部と、
前記住民情報取得部により取得された前記住民情報を記憶する住民情報記憶部と、
前記インフラ情報記憶部に記憶される前記インフラ情報と前記住民情報記憶部に記憶される前記住民情報とに基づいて前記インフラを制御する制御部と、を具備することを特徴とするインフラ運用装置。
【請求項５】
インフラ運用システムにおいて、
インフラに関し計測する計測装置と、
複数のインフラを有する所定の地域との関係で前記インフラを運用するインフラ運用装置とを具備し、
前記インフラ運用装置は、
前記所定の地域に関し前記計測装置より取得される前記インフラに係るインフラ情報を記憶するインフラ情報記憶部と、
前記所定の地域に関係する住民について予め登録され前記住民に固有の住民情報及び記インフラ情報に基づいて前記インフラを制御する制御部と、を具備することを特徴とするインフラ運用システム。
【請求項６】
インフラ運用システムにおいて、
インフラに関し計測する計測装置と、
所定の地域に関係する住民について予め登録され前記住民に固有の住民情報を記憶する住民情報記憶装置と、
複数のインフラを有する前記所定の地域との関係で前記インフラを運用するインフラ運用装置とを具備し、
前記インフラ運用装置は、
前記所定の地域に関し前記計測装置より取得される前記インフラに係るインフラ情報を受信するインフラ情報受信部と、
前記インフラ情報受信部により受信した前記インフラ情報を記憶するインフラ情報記憶部と、
前記住民情報記憶装置から前記住民情報を取得する住民情報取得部と、
前記住民情報取得部により取得された前記住民情報を記憶する住民情報記憶部と、
前記インフラ情報記憶部に記憶される前記インフラ情報と前記住民情報記憶部に記憶される前記住民情報とに基づいて前記インフラを制御する制御部と、を具備することを特徴とするインフラ運用システム。
【請求項７】
インフラに関し計測する計測装置を有するインフラ運用システムで利用され、複数のインフラを有する所定の地域との関係で前記インフラを運用するインフラ運用装置による情報処理方法において、
前記所定の地域に関し前記計測装置より取得される前記インフラに係るインフラ情報をインフラ情報記憶部に記憶し、
前記所定の地域に関係する住民について予め登録され前記住民に固有の住民情報及び前記インフラ情報に基づいて前記インフラを制御する、ことを特徴とする情報処理方法。
【請求項８】
インフラに関し計測する計測装置を有するインフラ運用システムで利用され、複数のインフラを有する所定の地域との関係で前記インフラを運用するインフラ運用装置による情報処理方法において、
前記所定の地域に関し前記計測装置より取得される前記インフラに係るインフラ情報を受信し、
前記受信した前記インフラ情報をインフラ情報記憶部に記憶し、
前記所定の地域に関係する住民について予め登録され前記住民に固有の住民情報及び前記インフラ情報に基づいて前記インフラを制御する、ことを特徴とする情報処理方法。
【請求項９】
インフラに関し計測する計測装置を有するインフラ運用システムで利用され、複数のインフラを有する所定の地域との関係で前記インフラを運用するインフラ運用装置による情報処理方法において、
前記所定の地域に関し前記計測装置より取得される前記インフラに係るインフラ情報をインフラ情報記憶部に記憶し、
前記所定の地域に関係する住民について予め登録され前記住民に固有の住民情報を住民情報記憶部に記憶し、
前記インフラ情報記憶部に記憶される前記インフラ情報と前記住民情報記憶部に記憶される前記住民情報とに基づいて前記インフラを制御する、ことを特徴とする情報処理方法。
【請求項１０】
インフラに関し計測する計測装置と、所定の地域に関係する住民について予め登録され前記住民に固有の住民情報を記憶する住民情報記憶装置とを有するインフラ運用システムで利用され、複数のインフラを有する前記所定の地域との関係で前記インフラを運用するインフラ運用装置による情報処理方法において、
前記所定の地域に関し前記計測装置より取得される前記インフラに係るインフラ情報を受信し、
前記受信した前記インフラ情報をインフラ情報記憶部に記憶し、
前記住民情報記憶装置から前記住民情報を取得し、
前記取得された前記住民情報を住民情報記憶部に記憶し、
前記インフラ情報記憶部に記憶される前記インフラ情報と前記住民情報記憶部に記憶される前記住民情報とに基づいて前記インフラを制御する、ことを特徴とする情報処理方法。
【請求項１１】
インフラに関し計測する計測装置を有するインフラ運用システムで利用され、複数のインフラを有する所定の地域との関係で前記インフラを運用するインフラ運用装置により実行されるプログラムであって、前記プログラムは、
前記所定の地域に関し前記計測装置より取得される前記インフラに係るインフラ情報をインフラ情報記憶部に記憶し、
前記所定の地域に関係する住民について予め登録され前記住民に固有の住民情報及び前記インフラ情報に基づいて前記インフラを制御する、ことを特徴とするプログラム。
【請求項１２】
インフラに関し計測する計測装置を有するインフラ運用システムで利用され、複数のインフラを有する所定の地域との関係で前記インフラを運用するインフラ運用装置により実行されるプログラムであって、前記プログラムは、
前記所定の地域に関し前記計測装置より取得される前記インフラに係るインフラ情報を受信し、
前記受信した前記インフラ情報をインフラ情報記憶部に記憶し、
前記所定の地域に関係する住民について予め登録され前記住民に固有の住民情報及び前記インフラ情報に基づいて前記インフラを制御する、ことを特徴とするプログラム。
【請求項１３】
インフラに関し計測する計測装置を有するインフラ運用システムで利用され、複数のインフラを有する所定の地域との関係で前記インフラを運用するインフラ運用装置により実行されるプログラムであって、前記プログラムは、
前記所定の地域に関し前記計測装置より取得される前記インフラに係るインフラ情報をインフラ情報記憶部に記憶し、
前記所定の地域に関係する住民について予め登録され前記住民に固有の住民情報を住民情報記憶部に記憶し、
前記インフラ情報記憶部に記憶される前記インフラ情報と前記住民情報記憶部に記憶される前記住民情報とに基づいて前記インフラを制御する、ことを特徴とするプログラム。
【請求項１４】
インフラに関し計測する計測装置と、所定の地域に関係する住民について予め登録され前記住民に固有の住民情報を記憶する住民情報記憶装置とを有するインフラ運用システムで利用され、前記インフラを有する前記所定の地域との関係で前記インフラを運用するインフラ運用装置により実行されるプログラムであって、前記プログラムは、
前記所定の地域に関し前記計測装置より取得される前記インフラに係るインフラ情報を受信し、
前記受信した前記インフラ情報をインフラ情報記憶部に記憶し、
前記住民情報記憶装置から前記住民情報を取得し、
前記取得された前記住民情報を住民情報記憶部に記憶し、
前記インフラ情報記憶部に記憶される前記インフラ情報と前記住民情報記憶部に記憶される前記住民情報とに基づいて前記インフラを制御する、ことを特徴とするプログラム。
【手続補正２】
【補正対象書類名】明細書
【補正対象項目名】発明の名称
【補正方法】変更
【補正の内容】
【発明の名称】インフラ運用装置、インフラ運用システム、情報処理方法およびプログラム
【手続補正３】
【補正対象書類名】明細書
【補正対象項目名】０００１
【補正方法】変更
【補正の内容】
【０００１】
本発明の実施形態は、所定地域のインフラストラクチャ（インフラ）に関するインフラ情報を収集し、これらに基づきインフラを制御する技術に関する。
【手続補正４】
【補正対象書類名】明細書
【補正対象項目名】０００６
【補正方法】変更
【補正の内容】
【０００６】
そこで、目的は、インフラの制御に係わるインフラ運用装置、インフラ運用システム、情報処理方法およびプログラムを提供することにある。
【手続補正５】
【補正対象書類名】明細書
【補正対象項目名】０００７
【補正方法】変更
【補正の内容】
【０００７】
実施形態によれば、インフラ運用装置は、インフラに関し計測する計測装置を有するインフラ運用システムで利用され、複数のインフラを有する所定の地域との関係でインフラを運用する。インフラ運用装置は、インフラ情報記憶部と、制御部とを具備する。インフラ情報記憶部は、所定の地域に関し計測装置より取得されるインフラに係るインフラ情報を記憶する。制御部は、所定の地域に関係する住民について予め登録され住民に固有の住民情報及びインフラ情報に基づいて、インフラを制御する。